(57)【要約】【課題】従来、一般的に天井仕上げ材１と空調換気ダクト６を天井スラブ１から吊り下げ支持する作業が別々に行われており、工程管理が煩雑になっている。この工程管理の煩雑さから解放するように天井仕上げ材１と空調換気ダクト６を同一行程で作業おこなうための空調換気ダクト６の取付構造を提供する。【解決手段】地震等により天井仕上げ材１が振動又は落下するのを防止するために、野縁受け３に一端を固定し、他端を天井スラブ１に固定する耐震補強部材８の側面に空調換気ダクト６の側面を貼着する空調換気ダクトの取付け構造とした。【選択図】図１
2014040701.tif 000002
【特許請求の範囲】
【請求項１】
野縁受けに一端を固定し、他端を天井スラブに固定した耐震補強部材の側面に空調換気ダクトの外面を貼着することを特徴とする空調換気ダクトの取付け構造。
【請求項２】
本発明の空調換気ダクトの取付構造は、耐震補強部材と空調換気ダクトとを貼着部材で固定することを特徴とする請求項１記載の空調換気ダクトの取付け構造。
【請求項３】
前記空調換気ダクトは段ボール製であることを特徴とする請求項１又は請求項２記載の空調換気ダクトの取付け構造。
【請求項４】
前記貼着部材は面ファスナーであることを特徴とする請求項１から請求項３のいずれか１項記載の空調換気ダクトの取付け構造。
【請求項５】
前記貼着部材は防振ゴムであることを特徴とする請求項１から請求項３のいずれか１項記載の空調換気ダクトの取付け構造。
【請求項６】
前記空調換気ダクトの断面は、多角形であることを特徴とする請求項１から請求項５のいずれか１項記載の空調換気ダクトの取付け構造。 
【発明の詳細な説明】
【技術分野】
【０００１】
本発明は天井裏に空調換気ダクトを取り付ける構造に関するものである。
【背景技術】
【０００２】
従来、天井構造は、図１１のように天井仕上げ材５が野縁４に固定され、その野縁４は野縁受け３に懸っている。野縁受け３には吊り部材２が掛けられており、吊り部材２は天井スラブ１に固定されている。
【０００３】
また、空調換気ダクト６は、ダクト受け７に固定され、前記ダクト受け７が天井スラブ１から吊り下げ支持されている。
【０００４】
そのため、空調換気ダクト６と天井仕上げ材５が、それぞれ別々に天井スラブ１に吊り下げられるようになっている。
【０００５】
このように、天井仕上げ材を吊り下げた構造では、地震等の振動により吊り下げ部材が揺動し、天井仕上げ材同士、天井仕上げ材と壁面、あるいは、空調換気ダクトの吹き出し口と天井仕上げ材とが衝突し落下するおそれがある。
【０００６】
そのため、吊り下げ部材の他に野縁受けに耐震補強部材を取付け、吊り下げ部材の揺動を防止している（特許文献１）。
【０００７】
この耐震補強部材は、地震応力の集中等を避けるために、天井仕上げ材の平均荷重に対して均等に配置することが必要である。
【０００８】
また、空調換気ダクトは居住空間に対して吹き出し口から新鮮な空気を均等に供給するように配置することが求められる。
【０００９】
そのため、空調換気ダクト及び耐震補強部材の配置計画は、共に天井仕上げ材に対して均等な配置をすることになるが、従来のように吊り部材を避けて空調換気ダクトの配置計画は適用できない。
【先行技術文献】
【特許文献】
【００１０】
【特許文献１】特開２００９−２６７７３７号公報。
【発明の概要】
【発明が解決しようとする課題】
【００１１】
上記したような耐震補強部材を取付た天井空間内に空調換気ダクトを取付けるには次のような問題がある。
＜１＞ 
天井仕上げ材の吊り下げ支持とは別に空調換気ダクトの吊り部材を取り付ける作業が必要である。
＜２＞ 
天井仕上げ材の吊り下げ作業と空調換気ダクト取付作業は別々に行われ、作業者が異なる場合が多く、互いの作業の調整が必要である。
＜３＞天井仕上げ材に吊り下げ支持材の他に耐震補強部材が取り付けられるため空調換気ダクトを配置する空間が狭められることになる。
【課題を解決するための手段】
【００１２】
上記のような課題を解決する本発明の空調換気ダクトの取付構造は、
野縁受けに一端を固定し、他端を天井スラブに固定した耐震補強部材の側面に空調換気ダクトの外面を貼着することを特徴とする空調換気ダクトの取付け構造である。
また本発明の空調換気ダクトの取付構造は、耐震補強部材と空調換気ダクトとを貼着部材で固定することを特徴とするものである。
また、前記空調換気ダクトは段ボール製であることを特徴とするものである。
また、前記貼着部材は面ファスナーであることを特徴とするものである。
また、前記貼着部材は防振ゴムであることを特徴とするものである。
また、本発明の空調換気ダクトの断面は、三角形であることを特徴とするものである。
また、本発明の空調換気ダクトの断面は、多角形であることを特徴とするものである。
【発明の効果】
【００１３】
本発明の空調換気ダクトの取付構造は以上説明したようになるから次のような効果を得ることができる。
＜１＞ 
耐震補強部材に空調換気ダクトを取付けるから天井仕上げ材の取付と同時に空調換気ダクトを取付けることができる。
＜２＞ 
同じ作業員が天井仕上げ材と空調換気ダクトを取付けるから、作業調整が不要であることから、コスト削減を図ることができる。
＜３＞ 
天井仕上げ材の耐震補強部材と吊り部材とで囲まれる空間領域に空調換気ダクトを配置するので、天井仕上げ材の吊り部材や耐震補強部材の配置位置を考慮することなく空調換気ダクトを配置できる。
＜４＞ 
軽量な空調換気ダクトを使用することにより耐震補強部材への荷重負担がなく耐震性に影響がでない。
【図面の簡単な説明】
【００１４】
【図１】本発明の空調換気ダクトの取付図。
【図２】断面三角形状の空調換気ダクトの取付図。
【図３】（a）は他の断面形状の空調換気ダクトの取付図。（b）は野縁受け補強部材にも貼着した空調換気ダクトの取付図。
【図４】１本の耐震補強部材に取り付ける空調換気ダクトの取付図。
【図５】１本の耐震補強部材に取り付ける空調換気ダクトの他の取付図。
【図６】逆Ｖ字状の耐震補強部材における空調換気ダクトの取付図。
【図７】逆Ｖ字状の耐震補強部材における空調換気ダクトの取付図の他の取付図。
【図８】逆Ｖ字状の耐震補強部材における空調換気ダクトのさらに他の取付図。
【図９】耐震補強部材を交差した固定構造における空調換気ダクトの取付図。
【図１０】耐震補強部材を交差した固定構造における他の空調換気ダクトの取付図。
【図１１】従来の天井仕上げ材及び空調換気ダクトの吊り下げ状態を示す斜視図。
【図１２】耐震補強状態を示す斜視図。
【発明を実施するための形態】
【００１５】
以下図面を参照にしながら本発明の空調換気ダクトの取付構造の好適な実施の形態を詳細に説明する。
【実施例】
【００１６】
＜１＞全体の構成。
本発明の空調換気ダクト６の取付構造は、耐震補強部材８に空調換気ダクト６を貼着固定支持する構造である。
【００１７】
＜２＞天井仕上げ材の吊り下げ。
天井仕上げ材に野縁を取付け、その野縁に野縁受けを懸ける。
床スラブに固定して垂下させた吊り部材を野縁受けに固定する。
【００１８】
＜３＞耐震補強部材８の取付。
耐震補強部材８は、二方向（例えば、野縁受け方向と野縁受け方向に直交する方向、あるいは、野縁受け方向に対し４５°平面回転させて互いに直交する方向）について取り付けられる。
【００１９】
耐震補強部材８の一端を野縁受け３に固定し、他端を天井スラブ１に対し斜め上方に取り付けられ、一方向について耐震補強部材を略Ｖ字状もしくは逆ハ字状に固定する。
【００２０】
なお、耐震補強部材８の取付方向により野縁受け３に直接固定できない場合は、野縁受け３に野縁受け補強部材３１を設けて、その野縁受け補強部材３１に耐震補強部材８を固定してもよい。
【００２１】
また、耐震補強部材８は、野縁受け３の振動を抑止するためのものであり、野縁受け３よりも強度を有する角形鋼管や山形鋼あるいは溝型鋼が好適である。
【００２２】
＜４＞空調換気ダクトの取付。
図１に示すように、空調換気ダクト６の側面と耐震補強部材８の側面とを貼着部材９で固定する。
【００２３】
貼着部材９として面ファスナーを使用する場合は、空調換気ダクト６の側面に雌型面ファスナーを貼りつけ、耐震補強部材８に雄型面ファスナーを貼りつけ、雌型面ファスナーと雄型ファスナーとを係合固定する。
【００２４】
空調換気ダクト６は耐震補強部材８に取り付けられることから、耐震補強部材８に荷重負担のかからない材料で作成されたダクトが好ましく、段ボール製ダクトが最適である。
【００２５】
また、面ファスナーを用いることによりダクト内の気流により軽量な段ボール製の空調換気ダクト６が微振動することも想定されるが、面ファスナーが防振性を有することから、耐震補強部材８に伝達することがなく、天井仕上げ材１の振動を防ぐ効果もある。
【００２６】
＜５＞空調換気ダクト６の断面形状。
また耐震補強部材８に取り付けられたときの空調換気ダクト６の断面形状は、図２又は図３に示すような四角形以外の三角形、五角形、あるいはそれ以外の多角形の形状でもよく、空調換気性能を保持できる形状であれば、断面形状に拘るものではない。
【００２７】
また、野縁受け３に野縁受け補強部材３１を設けたときには、野縁受け補強部材３１に空調換気ダクト６を貼着するような断面形状であってもよいことはもちろんである。（図３ｂ）
【００２８】
空調換気ダクト６から天井仕上げ材１に開口され居室空間に吹き出すための吹き出し口へは、空調換気ダクト６の斜め下面あるいは、空調換気ダクト６の上面からの分岐が対応することできる。
【００２９】
＜６＞他の空調換気ダクトの取付。
空調換気ダクト６の取付位置は、Ｖ字状又は逆ハ字状の挟角部に限るものではなく、図４又は図５のように、１本の耐震補強部材８に取り付けることも可能である。
【００３０】
耐震補強部材８と吊り部材２の配置計画により、空調換気ダクト６の取付位置を決定すればよい。
【００３１】
＜７＞逆Ｖ字状の耐震補強部材８への取付。
耐震補強部材８の固定構造は逆Ｖ字状又はハ字状に取付ることも可能とするのであり、その際、空調換気ダクト６を図６に示すように、天井スラブ１付近に耐震補強部材８が形成する挟角部に固定することができる。
なお、空調換気ダクト６の下面側を保持する保持部材を耐震補強部材８に取り付けてもよい。
【００３２】
また、図７又は図８に示すように空調換気ダクト６を１本の耐震補強部材８に取付ることも可能である。
【００３３】
＜８＞交差形状の耐震補強部材８への取付構造。
耐震補強部材８の固定構造はＶ字状、又はハ字状に限らず交差した略Ｘ字状に固定する構造も可能であり、この場合の空調換気ダクト６は、図９又は図１０に示すように耐震補強部材８が形成する挟角部に取り付けが可能である。さらに、１本の耐震補強部材だけに取り付けることも可能である。
【符号の説明】
【００３４】
１  天井スラブ
２  吊り部材
３  野縁受け
４  野縁
５  天井仕上げ材
６  空調換気ダクト
８  耐震補強部材
【図１】
2014040701.tif 000003
【図２】
2014040701.tif 000004
【図３】
2014040701.tif 000005
【図４】
2014040701.tif 000006
【図５】
2014040701.tif 000007
【図６】
2014040701.tif 000008
【図７】
2014040701.tif 000009
【図８】
2014040701.tif 000010
【図９】
2014040701.tif 000011
【図１０】
2014040701.tif 000012
【図１１】
2014040701.tif 000013
【図１２】
2014040701.tif 000014